(57)【要約】【課題】  容器の上に起立した状態で保持される固相抽出カートリッジの転倒を防止する安価なカートリッジ転倒防止用具を提供する。【解決手段】  容器２０の上に起立した状態で保持される固相抽出カートリッジ１０の転倒を防止するためのカートリッジ転倒防止用具１であって、筒状に形成された胴部２ａと、この胴部２ａの上端部に該胴部２ａよりも縮径された口頸部２ｂとを有し、胴部２ａの底部を開口部２ｃとするボトル状の本体部２を備え、固相抽出カートリッジ１０を口頸部２ｂに挿通し、胴部２ａを容器２０に被せた状態で、本体部２の起立した状態を保持する。【選択図】  図１
2007024621.tif 000002
【特許請求の範囲】
【請求項１】
吸着材が充填された固相抽出カートリッジに分析対象となる試料を流し、この試料中の特定物質を前記吸着材に吸着させた後に、前記固相抽出カートリッジに溶媒を流して、前記吸着材から前記溶媒に前記特定物質を溶出させた溶出液を回収する際に、この溶出液を回収する容器の上に起立した状態で保持される前記固相抽出カートリッジの転倒を防止するためのカートリッジ転倒防止用具であって、
筒状に形成された胴部と、前記胴部の上端部に該胴部よりも縮径された口頸部とを有し、前記胴部の底部を開口部とする本体部を備え、
前記固相抽出カートリッジを前記口頸部に挿通し、前記胴部を前記容器に被せた状態で、前記本体部の起立した状態を保持することを特徴とするカートリッジ転倒防止用具。
【請求項２】
前記本体部は、少なくとも前記胴部の一部又は全部が透明であることを特徴とする請求項１に記載のカートリッジ転倒防止用具。
【請求項３】
前記固相抽出カートリッジの上に前記溶媒を収容するシリンダが装着されて、該シリンダ又は固相注出カートリッジを前記口頸部が支持することを特徴とする請求項１又は２に記載のカートリッジ転倒防止用具。
【請求項４】
前記固相抽出カートリッジは、前記吸着材が充填されたシリンダからなり、該シリンダを前記口頸部が支持することを特徴とする請求項１又は２に記載のカートリッジ転倒防止用具。
【請求項５】
前記本体部は、前記容器が設置される設置面上に自立可能に設けられていることを特徴とする請求項１乃至４の何れか一項に記載のカートリッジ転倒防止用具。
【請求項６】
前記容器は、容器立てに起立した状態で保持されており、
前記本体部は、前記容器立ての上で起立した状態を保持するための起立保持手段を有することを特徴とする請求項１乃至４の何れか一項に記載のカートリッジ転倒防止用具。
【請求項７】
前記起立保持手段は、前記胴部の底部から延長された弾性片からなることを特徴とする請求項６に記載のカートリッジ転倒防止用具。
【請求項８】
前記本体部は、ペットボトルを加工してなることを特徴とする請求項１乃至７の何れか一項に記載のカートリッジ転倒防止用具。
【発明の詳細な説明】
【技術分野】
【０００１】
本発明は、容器の上に起立した状態で保持される固相抽出カートリッジの転倒を防止するためのカートリッジ転倒防止用具に関する。
【背景技術】
【０００２】
従来、液中からの特定物質の抽出には、液−液抽出法が多く用いられてきたが、作業が繁雑で時間と経験を要すること、溶媒を多量に使用することなどの問題があった。このため、現在では、作業が簡単で溶媒の使用量も少なく、自動化により大量の試料を処理することができる固相抽出法が用いられるようになっている（例えば特許文献１を参照。）。
【０００３】
この固相抽出法では、吸着材が充填された固相抽出カートリッジが用いられ、この固相抽出カートリッジに大気ガスや水道水などの分析対象となる試料を流し、試料中の特定物質を吸着材に吸着させた後に、固相抽出カートリッジに溶媒を流して、吸着材から溶媒に特定物質を溶出させた溶出液を回収（抽出）する。
【０００４】
ところで、このような操作を行う際には、溶出液を回収する三角フラスコや試験管などの容器に固相抽出カートリッジを固定する固定用具があると便利であるが、従来、固相抽出カートリッジを容器に固定するための専用の固定用具などはなく、例えば高価な吸引マニホールドや、大きさの異なる容器の内径に合わせて段差が設けられた治具などを代用している。
【０００５】
しかしながら、このような治具は、容器の口に置くだけのものなので、固相抽出カートリッジを容器に安定して固定することはできない。さらに、固相抽出カートリッジの上にシリンダを装着した場合には、このシリンダに溶媒を入れると更に重心が高くなるために、非常に倒れ易くなる。
【特許文献１】実開平６−８２５６７号公報
【発明の開示】
【発明が解決しようとする課題】
【０００６】
本発明は、かかる状況に鑑みてなされたものであり、容器の上に起立した状態で保持される固相抽出カートリッジの転倒を防止する安価なカートリッジ転倒防止用具を提供することを目的とする。
【課題を解決するための手段】
【０００７】
本発明は、以下の手段を提供する。
（１）  吸着材が充填された固相抽出カートリッジに分析対象となる試料を流し、この試料中の特定物質を前記吸着材に吸着させた後に、前記固相抽出カートリッジに溶媒を流して、前記吸着材から前記溶媒に前記特定物質を溶出させた溶出液を回収する際に、この溶出液を回収する容器の上に起立した状態で保持される前記固相抽出カートリッジの転倒を防止するためのカートリッジ転倒防止用具であって、筒状に形成された胴部と、前記胴部の上端部に該胴部よりも縮径された口頸部とを有し、前記胴部の底部を開口部とするボトル状の本体部を備え、前記固相抽出カートリッジを前記口頸部に挿通し、前記胴部を前記容器に被せた状態で、前記本体部の起立した状態を保持することを特徴とするカートリッジ転倒防止用具。
（２）  前記本体部は、少なくとも前記胴部が透明であることを特徴とする前項（１）に記載のカートリッジ転倒防止用具。
（３）  前記固相抽出カートリッジの上に前記溶媒を収容するシリンダが装着されて、該シリンダを前記口頸部が支持することを特徴とする前項（１）又は（２）に記載のカートリッジ転倒防止用具。
（４）  前記固相抽出カートリッジは、前記吸着材が充填されたシリンダからなり、該シリンダを前記口頸部が支持することを特徴とする前項（１）又は（２）に記載のカートリッジ転倒防止用具。
（５）  前記本体部は、前記容器が設置される設置面上に自立可能に設けられていることを特徴とする前項（１）乃至（４）の何れか一項に記載のカートリッジ転倒防止用具。
（６）  前記容器は、容器立てに起立した状態で保持されており、
前記本体部は、前記容器立ての上で起立した状態を保持するための起立保持手段を有することを特徴とする前項（１）乃至（４）の何れか一項に記載のカートリッジ転倒防止用具。
（７）  前記起立保持手段は、前記胴部の底部から延長された弾性片からなることを特徴とする前項（６）に記載のカートリッジ転倒防止用具。
（８）  前記本体部は、ペットボトルからなることを特徴とする前項（１）乃至（７）の何れか一項に記載のカートリッジ転倒防止用具。
【発明の効果】
【０００８】
以上のように、本発明に係るカートリッジ転倒防止用具では、口頸部に固相抽出カートリッジを挿通し、胴部を容器に被せた状態で、本体部の起立した状態を保持することによって、容器の上に起立した状態で保持される固相抽出カートリッジの転倒を確実に防止することができる。
また、本発明に係るカートリッジ転倒防止用具では、胴部を容器に被せることから、この容器への不純物等の混入も防ぐことができる。
さらに、本発明に係るカートリッジ転倒防止用具は、簡便な構造を有しており非常に安価である。
【発明を実施するための最良の形態】
【０００９】
以下、本発明を適用したカートリッジ転倒防止用具について、図面を参照して詳細に説明する。
（第１の実施の形態）
大気ガスや水道水などの分析対象となる試料中の特定物質を固相抽出法により精製したり、濃縮したりするための前処理装置では、例えば図１及び図２に示すような分析対象試料中の特定物質を吸着させた後に溶媒を流すことによって溶媒に特定物質を溶出させる固相抽出カートリッジ１０と、この固相抽出カートリッジ１０から溶出された溶出液を回収する容器となる三角フラスコ２０と、固相抽出カートリッジ１０に流す溶媒を収容するシリンダ３０とが用いられている。また、この前処理装置では、必要に応じて固相抽出カートリッジ１０を三角フラスコ２０に固定するための固定用具（治具）４０を用いることができる。
【００１０】
固相抽出カートリッジ１０は、吸着材１１が充填された略円筒状のカートリッジ本体１０ａを備えており、このカートリッジ本体１０ａの長手方向の両端部には、それぞれノズル１０ｂ，１０ｃが設けられている。このうち、図２中に示す上部側のメス型ノズル１０ｂには、シリンダ３０のノズル３０ａが差し込まれ、図２中に示す下部側のオス型ノズル１０ｃは、後述する固定用具４０の差込み孔４１に差し込まれる。したがって、三角フラスコ２０の上には、図１に示すように、固定用具４０に装着された固相抽出カートリッジ１０と、この固相抽出カートリッジ１０に装着されたシリンダ３０とが、それぞれ起立した状態で保持されている。
【００１１】
吸着材１１としては、例えば官能基を導入したシリカゲル粒子や、スチレン−ジビニルベンゼン共重合体などのポリマー粒子、活性炭やカーボングラファイトのような炭素粒子などがあり、用途に応じて適宜選択して使用することができる。また、特定物質を含んだ溶出液の精製や濃縮に用いられる溶媒についても、その抽出する特定物質に合わせて任意のものを使用することができる。
【００１２】
固定用具４０は、その中心部に固相抽出カートリッジ１０のノズル１０ｃを差し込む差込み孔４１を有している。差込み孔４１は、この固定用具４０を貫通する孔部であり、固相抽出カートリッジ１０のノズル１０ｃの外径に対応した内径を有している。また、固定用具４０には、大きさの異なる容器の内径に合わせた段差部４２が設けられている。固定用具４０は、この段差部４２を三角フラスコ２０の口に嵌合させた状態で、三角フラスコ２０上に設置されている。
【００１３】
以上のような前処理装置を用いて固相抽出法により特定物質を含んだ溶出液を抽出する際には、先ず、固相抽出カートリッジ１０のノズル１０ｃ側（或いはノズル１０ｂ側）から分析対象となる気体又は液体の試料を流することによって、この試料中の特定物質を吸着材１１に吸着させる。その後に、固相抽出カートリッジ１０のノズル１０ｂ側からシリンダ３０に収容された溶媒を流すことによって、吸着材１１から溶媒に特定物質を溶出させる。この溶出させた溶出液は、固相抽出カートリッジ１０のノズル１０ｃ側から排出されて、その下にある三角フラスコ２０へと回収される。
【００１４】
ところで、上記前処理装置では、三角フラスコ２０の上に起立した状態で保持された固相抽出カートリッジ１０の転倒を防止するために、本発明を適用したカートリッジ転倒防止用具１が用いられている。具体的に、このカートリッジ転倒防止用具１は、図２に示すようなボトル状の本体部２を備えている。
【００１５】
本体部２は、円筒状に形成された胴部２ａと、この胴部２ａの上端部に該胴部２ａよりも縮径された口頸部２ｂとを有しており、胴部２ａの底部には、開口部２ｃが形成されている。また、本体部２は、それ自体が自立可能であり、三角フラスコ２０と同じ設置面上に起立した状態で設置される。
【００１６】
以上のような構造を有するカートリッジ転倒防止用具１は、図１に示すように、固相抽出カートリッジ１０を口頸部２ｂに挿通し、胴部２ａを三角フラスコ２０に被せた状態で、本体部２の起立した状態を保持している。また、固相抽出カートリッジ１０の上に装着されたシリンダ３０を口頸部２ｂが支持した状態となっている（なお、本体部２は、胴部２ａの高さを調整することで、固相抽出カートリッジ１０を口頸部２ｂが支持した状態とすることもできる。）
【００１７】
これにより、シリンダ３０及び固相抽出カートリッジ１０が傾いたとしても、シリンダ３０（又は固相注出カートリッジ１０）を口頸部２ｂが支持するため、三角フラスコ２０上におけるシリンダ３０及び固相抽出カートリッジ１０の起立した状態を保持することができる。
【００１８】
したがって、このようなカートリッジ転倒防止用具１を用いることによって、三角フラスコ２０の上に起立した状態で保持される固相抽出カートリッジ１０の転倒を確実に防止することができる。さらに、このカートリッジ転倒防止用具１を用いた場合には、溶媒を入れたシリンダ３０の転倒を確実に防止できるため、作業性に優れたものとなっている。
【００１９】
また、このカートリッジ転倒防止用具１では、胴部２ａを三角フラスコ２０に被せることから、この三角フラスコ２０への不純物等の混入も防ぐことができる。さらに、このカートリッジ転倒防止用具１は、簡便な構造を有しており非常に安価である。
【００２０】
ところで、上記カートリッジ転倒防止用具１は、三角フラスコ２０に回収される溶出液を視認できるように、本体部２の少なくとも胴部２ａの一部又は全部が透明であることが好ましく、具体的には、透明な樹脂やガラス等を用いて作製されることが好ましい。また、胴部２ａは、前記底部の開口部２ｃ以外にも、その剛性が損なわれない範囲で、例えば側面部等に軽量化のための開口部等を設けた構成としてもよい。
【００２１】
さらに、上記カートリッジ転倒防止用具１は、例えば図３に示すペットボトル（ポリエチレンテレフタレート（ＰＥＴ）製のボトル）を加工して安価に作製することもできる。すなわち、一般に使用されるペットボトルの底部を固相抽出カートリッジ１０及びシリンダ３０の支持位置に合わせて切断すれば、本発明のカートリッジ転倒防止用具１を容易に作製することができる。
【００２２】
（第２の実施の形態）
次に、本発明の第２の実施の形態として図４及び図５に示す前処理装置に用いられるカートリッジ転倒防止用具５について説明する。なお、以下の説明では、図１に示す前処理装置と同等の部位については、説明を省略すると共に、図面において同じ符号を付すものとする。
【００２３】
図４及び図５に示す前処理装置では、上記シリンダ３０に吸着材１１が充填されてなる固相抽出カートリッジ５０と、この固相抽出カートリッジ５０から溶出された溶出液を回収する容器である試験管６０と、固相抽出カートリッジ５０を試験管６０に固定するための上記固定用具４０と、試験管６０を起立した状態で保持する容器立てである試験管立て７０とが用いられている。
【００２４】
このうち、固定用具４０は、段差部４２を試験管６０の口に嵌合させた状態で、この試験管６０上に設置されている。また、固相抽出カートリッジ５０を構成するシリンダ３０のノズル３０ａは、固定用具４０の差込み孔４１に差し込まれている。したがって、試験管６０の上には、固定用具４０に装着された固相抽出カートリッジ５０が起立した状態で保持されている。
【００２５】
以上のような前処理装置を用いて固相抽出法により特定物質を含んだ溶出液を抽出する際には、先ず、固相抽出カートリッジ５０に分析対象となる気体又は液体の試料を流することによって、この試料中の特定物質を吸着材１１に吸着させる。その後に、固相抽出カートリッジ５０のシリンダ３０に溶媒を流すことによって、吸着材１１から溶媒に特定物質を溶出させる。この溶出させた溶出液は、シリンダ３０のノズル３０ａ側から排出されて、その下にある試験管６０へと回収される。
【００２６】
上記前処理装置では、試験管６０の上に起立した状態で保持された固相抽出カートリッジ５０の転倒を防止するために、本発明を適用した別のカートリッジ転倒防止用具５が用いられている。具体的に、このカートリッジ転倒防止用具５は、図５に示すように、ボトル状の本体部６を備え、この本体部６は、角筒状に形成された胴部６ａと、この胴部６ａの上端部に該胴部６ａよりも縮径された口頸部６ｂとを有している。また、胴部６ａの底部には、開口部６ｃが形成されている。
【００２７】
さらに、本体部６には、試験管立て７０の上で起立した状態を保持するための起立保持手段として、一対の弾性片７ａ，７ｂが一体に設けられている。これら一対の弾性片７ａ，７ｂは、胴部６ａの互いに対向する側面部に沿って胴部６ａの底部から延長されると共に、それぞれ外側に向かって折り曲げ可能となっている。また、一対の弾性片７ａ，７ｂには、それぞれ試験管立て７０に係止するための係止部８ａ，８ｂが形成されている。したがって、これら一対の弾性片７ａ，７ｂを試験管立て７０に係止させることによって、本体部２を試験管立て７０の上に起立した状態で保持することができる。
【００２８】
以上のような構造を有するカートリッジ転倒防止用具５は、図４に示すように、固相抽出カートリッジ５０を口頸部６ｂに挿通し、胴部６ａを試験管６０に被せた状態で、試験立て７０上における本体部６の起立した状態を保持している。また、固相抽出カートリッジ５０のシリンダ３０を口頸部６ｂが支持した状態となっている。
【００２９】
したがって、このようなカートリッジ転倒防止用具５を用いることによって、試験管６０の上に起立した状態で保持される固相抽出カートリッジ５０の転倒を確実に防止することができる。さらに、このカートリッジ転倒防止用具５を用いた場合には、試験管立て７０のような不安定な設置面上においても溶媒を入れたシリンダ３０の転倒を確実に防止できるため、作業性に優れたものとなっている。
【００３０】
また、このカートリッジ転倒防止用具５では、胴部６ａを試験管６０に被せることから、この試験管６０への不純物等の混入も防ぐことができる。さらに、このカートリッジ転倒防止用具５は、簡便な構造を有しており非常に安価である。
【００３１】
ところで、上記カートリッジ転倒防止用具５は、試験管６０に回収される溶出液を視認できるように、上記カートリッジ転倒防止用具１と同様に、本体部６の少なくとも胴部６ａの一部又は全部が透明であることが好ましく、具体的には、透明な樹脂等を用いて作製されることが好ましい。また、胴部６ａは、前記底部の開口部６ｃ以外にも、その剛性が損なわれない範囲で、例えば側面部等に軽量化のための開口部等を設けた構成としてもよい。
【００３２】
さらに、上記カートリッジ転倒防止用具５は、例えば図６に示すペットボトル（ポリエチレンテレフタレート（ＰＥＴ）製のボトル）を加工して安価に作製することもできる。すなわち、一般に使用されるペットボトルの底部を切断して開口部６ｃ及び一対の弾性片７ａ，７ｂを形成すれば、本発明のカートリッジ転倒防止用具５を容易に作製することができる。
【図面の簡単な説明】
【００３３】
【図１】図１は、本発明を適用したカートリッジ転倒防止用具を用いた前処理装置を示す斜視図である。
【図２】図２は、図１に示すカートリッジ転倒防止用具の構成を示す斜視図である。
【図３】図３は、図１に示すカートリッジ転倒防止用具をペットボトルにより作製した応用例を示す斜視図である。
【図４】図４は、本発明を適用した別のカートリッジ転倒防止用具を用いた前処理装置を示す分解斜視図である。
【図５】図５は、図４に示すカートリッジ転倒防止用具の構成を示す斜視図である。
【図６】図６は、図４に示すカートリッジ転倒防止用具をペットボトルにより作製した応用例を示す斜視図である。
【符号の説明】
【００３４】
１…カートリッジ転倒防止用具  ２…本体部  ２ａ…胴部  ２ｂ…口頸部  ２ｃ…開口部  ５…カートリッジ転倒防止用具  ６…本体部  ６ａ…胴部  ６ｂ…口頸部  ６ｃ…開口部  ７ａ，７ｂ…弾性片（起立保持手段）  １０…固相抽出カートリッジ  １０ａ…カートリッジ本体  １０ｂ，１０ｃ…ノズル  １１…吸着材  ２０…三角フラスコ（容器）  ３０…シリンダ  ４０…固定用具  ５０…固相抽出カートリッジ  ６０…試験管（容器）  ７０…試験管立て
【図１】
2007024621.tif 000003
【図２】
2007024621.tif 000004
【図３】
2007024621.tif 000005
【図４】
2007024621.tif 000006
【図５】
2007024621.tif 000007
【図６】
2007024621.tif 000008